(57)【要約】【課題】着用の快適感を向上でき、バストアップ効果を達成でき、乳房の曲線をもっと綺麗にすることができるブラジャー用立体下敷きを提供する。【解決手段】ブラジャーのカップの裏布層と表布層の間に組み付けられるブラジャー用立体下敷きにおいて、前記下敷きは第１面層と第２面層を重ねて構成され、前記第１面層と前記第２面層の間には、空気を収容する中空空間が形成されており、前記下敷きが押えられたとき、前記中空空間が消えて扁平状となり、前記下敷きを押える外力が無くなったとき、前記中空空間が本来の状態に戻って空気を収容する。【選択図】図５
0003168250.tif 000002
【実用新案登録請求の範囲】
【請求項１】
ブラジャーのカップの裏布層と表布層の間に組み付けられるブラジャー用立体下敷きにおいて、
前記下敷きは第１面層と第２面層を重ねて構成され、前記第１面層と前記第２面層の間には、空気を収容する中空空間が形成されており、前記下敷きが押えられたとき、前記中空空間が消えて扁平状となり、前記下敷きを押える外力が無くなったとき、前記中空空間が本来の状態に戻って空気を収容することを特徴とするブラジャー用立体下敷き。
【請求項２】
更に、前記中空空間の内部に補助パッドが少なくとも一つ充填されており、前記補助パッドにより前記中空空間の空間が減少することを特徴とする、請求項１に記載のブラジャー用立体下敷き。
【請求項３】
前記第１面層と前記第２面層とは、全て第１片と第２片とから構成され、前記各第１片と前記各第２片の接合部位が円弧状エッジに成形され、前記第１面層と前記第２面層の間に形成される前記中空空間の膨らみ曲線の最高点は、前記各第１片と前記各第２片の接合部位に位置することを特徴とする、請求項１に記載のブラジャー用立体下敷き。
【考案の詳細な説明】
【技術分野】
【０００１】
本考案は、ブラジャーに関し、特に、ブラジャー用立体下敷きに関するものである。
【背景技術】
【０００２】
女性は、乳房をより大きく見えるようにするために、乳房を整形する他、よく見られる方法はブラジャーの構造を変化することに着手する。例えばブラジャー１に、水バッグ、餃子状下敷き１０（図１から図３を参照）や按摩粒子を組付ける方法、又はカップの厚さを増加するなどの方法がある。何れも乳房をバストアップして乳房の曲線をもっと綺麗にする効果がある。しかし、水バッグによれば、重量が重過ぎて破損し易い問題がある。餃子状下敷き１０によれば、材料の弾性が良くなく、長期間に使用したときや、洗濯により弾性を失ってしまい問題がある。按摩粒子によれば、按摩粒子の寸法が大きすぎると、按摩粒子が乳房を圧迫して乳房が痛くなるが、按摩粒子の寸法が小さすぎると、バストアップ効果が出られない問題がある。
【考案の概要】
【考案が解決しようとする課題】
【０００３】
本考案の主な目的は、下敷き内に空気を収容する中空空間を形成することにより、下敷きが押えられたとき、中空空間が消えて扁平状となり、下敷きを押える外力が無くなったとき、中空空間が本来の状態に戻って空気を収容し、そうすることで、着用の快適感を向上し、バストアップ効果を達成でき、乳房の曲線をもっと綺麗にすることができるブラジャー用立体下敷きを提供することにある。
【課題を解決するための手段】
【０００４】
本考案のブラジャー用立体下敷きによると、ブラジャーのカップの裏布層と表布層の間に組み付けられるブラジャー用立体下敷きにおいて、
前記下敷きは第１面層と第２面層を重ねて構成され、前記第１面層と前記第２面層の間には、空気を収容する中空空間が形成されており、前記下敷きが押えられたとき、前記中空空間が消えて扁平状となり、前記下敷きを押える外力が無くなったとき、前記中空空間が本来の状態に戻って空気を収容することを特徴とする。
【０００５】
本考案のブラジャー用立体下敷きによると、更に、前記中空空間の内部に補助パッドが少なくとも一つ充填されており、前記補助パッドにより前記中空空間の空間が減少することを特徴とする。
【０００６】
本考案のブラジャー用立体下敷きによると、前記第１面層と前記第２面層とは、全て第１片と第２片とから構成され、前記各第１片と前記各第２片の接合部位が円弧状エッジに成形され、前記第１面層と前記第２面層の間に形成される前記中空空間の膨らみ曲線の最高点は、前記各第１片と前記各第２片の接合部位に位置することを特徴とする。
【考案の効果】
【０００７】
本考案のブラジャー用立体下敷きによれば、下敷き内に空気を収容する中空空間を形成することにより、下敷きが押えられたとき、中空空間が消えて扁平状となり、下敷きを押える外力が無くなったとき、中空空間が本来の状態に戻って空気を収容し、そうすると、着用の快適感を向上でき、バストアップ効果を達成でき、乳房の曲線をもっと綺麗にすることができるという効果を有する。
【図面の簡単な説明】
【０００８】
【図１】従来のブラジャーを示す分解斜視図である。
【図２】従来のブラジャーの組合済み状態を示す斜視図である。
【図３】従来のブラジャーが利用者に着用された状態を示す模式図である。
【図４】本考案の一実施例の組合済み状態を示す斜視図である。
【図５】本考案の一実施例の一部を拡大して示す分解斜視図である。
【図６】本考案の一実施例の一部の組合済み状態を拡大して示す斜視図である。
【図７】本考案の第１面層と第２面層との第１片と第２片とを示す分解正面図である。
【図８】本考案の一実施例の下敷きを剖開して示す斜視図である。
【図９】本考案の別の実施例の下敷きを剖開して示す斜視図である。
【考案を実施するための形態】
【０００９】
以下、本考案の実施の形態を図面に基づいて説明する。
まず、図４乃至図８を参照する。本考案の一実施例のブラジャー２は、左右に配置されて互いに連接する二つカップ２１を含み、二つカップ２１の両側には、カップ２１の外縁から後ろ方に延びるベルト２２が設けられ、各ベルト２２の末端にホック２３がそれぞれ設けられ、ホック２３によりベルト２２、２２を互いに結合できる。各ベルト２２の適当の箇所では、ストラップ２４がそれぞれ設けられる。各ストラップ２４の端縁は各カップ２１の端縁とそれぞれ連接する。各カップ２１の内側の底縁に近接する箇所で下敷き３が設けられ、すなわち、下敷き３がブラジャー２のカップ２１の裏布層２１１と表布層（図示せず）の間に組み付けられる。そうすると、下敷き３により乳房をバストアップすることができる。
【００１０】
特に、下敷き３は、最高の弾性と快適の緩衝効果とを発揮するために、図５及び図８に示すように、第１面層３１と第２面層３２を重ねて構成され、第１面層３１と第２面層３２の間に中空空間３３が形成されている。そうすることで、空気が第１面層３１と第２面層３２とを経由して中空空間３３に進入できる。下敷き３が押えられているときには、第１面層３１及び第２面層３２の強度による支持力と、中空空間３３内にある空気による支持力とにより、下敷き３が膨らむ状態になる。なお、下敷き３は、各カップ２１に組付けて利用されるときに、乳房に押えられて中空空間３３内にある空気が排出されて、下敷き３が扁平状となる。しかし、乳房による押付力がなくなったとき、第１面層３１及び第２面層３２の弾力により空気が中空空間３３に進入して、下敷き３が本来の状態に戻って膨らむ状態になる。そうすると、着用の快適感を向上でき、バストアップ効果を達成でき、乳房の曲線をもっと綺麗にすることができる。
【００１１】
次に、図５、図７及び図８を参照しながら本考案の下敷き３にある中空空間３３の形成方法を説明する。下敷き３の第１面層３１と第２面層３２とは、第１片３１１、３２１と第２片３１２、３２２とを組合って構成される。第１片３１１、３２１と第２片３１２、３２２の接合部位は、円弧状エッジ３１３、３１４、３２３、３２４に成形される。本実施例では、第１片３１１、３２１と第２片３１２、３２２との接合方法が縫製を採用し、第１面層３１と第２面層３２の間にある中空空間３３の膨らみ曲線の最高点が円弧状エッジ３１３、３１４、３２３、３２４に位置する。特に、本実施例の下敷き３によれば、円弧状エッジ３１３、３１４、３２３、３２４の大きさを変化するだけで、下敷き３の膨らみ高さを変化できる。換言すると、下敷き３の立体度を変化でき、これにより、異なる利用者の異なる需要に対応することができる。
【００１２】
図９を参照する。カップ２の支持効果をもっと良くにし、そして乳房の曲線をもっと綺麗にするために、中空空間３３内に少なくとも一つの補助パッド４を設けてもよい（本実施例では、補助パッド４が二つ設けられ）。そうすると、中空空間３３の空間が適当に減少されて、下敷き３が押えられたときに、下敷き３の圧縮され可能の空間が減少し、すなわち、下敷き３の圧縮による寸法の変化が減少する。これにより、本考案のブラジャーを着用しているときの快適感を増加できる。
【産業上の利用可能性】
【００１３】
本考案は、ブラジャーに適用することができる。
【符号の説明】
【００１４】
１：ブラジャー
３：下敷き
４：補助パッド
１０：餃子状下敷き
２０：ブラジャー
２１：カップ
２２：ベルト
２３：ホック
２４：ストラップ
３１：第１面層
３２：第２面層
３３：中空空間
２１１：裏布層
３１１：第１片
３１２：第２片
３１３：円弧状エッジ
３１４：円弧状エッジ
３２１：第１片
３２２：第２片
３２３：円弧状エッジ
３２４：円弧状エッジ
【図１】
0003168250.tif 000003
【図２】
0003168250.tif 000004
【図３】
0003168250.tif 000005
【図４】
0003168250.tif 000006
【図５】
0003168250.tif 000007
【図６】
0003168250.tif 000008
【図７】
0003168250.tif 000009
【図８】
0003168250.tif 000010
【図９】
0003168250.tif 000011